(57)【要約】【課題】持ち運んだ後にすぐに清掃開始できる電気掃除機の提供。【解決手段】掃除機本体２を把持する把手部７を、掃除機本体２の筐体表面に沿って回動可能に装着すると共に、初期位置から所定の回動角度に移動したときに静止可能に取り付け、筐体２Ａの配設凹部８と把手部７の間に、当該静止位置において掃除機本体２の吸込風量を決定する接点９Ｂ〜９Ｆを設けた。【選択図】  図１
2007105087.tif 000002
【特許請求の範囲】
【請求項１】
掃除機本体の筐体に、前記掃除機本体を把持する把手部を所定の移動量において静止可能に取り付けると共に、前記掃除機本体に、前記把手部の移動量によって前記掃除機本体の動作を決定する制御手段を設けたことを特徴とする電気掃除機。
【請求項２】
請求項１の電気掃除機において、前記把手部の移動領域周縁部に吸込風量の強弱を示す表示部を設けたことを特徴とする電気掃除機。
【請求項３】
請求項１、２の何れかの電気掃除機において、前記把手部は回動により移動可能とされ、前記把手部の回動領域近傍に吸込風量の強弱を示す表示部を設けたことを特徴とする電気掃除機。
【発明の詳細な説明】
【技術分野】
【０００１】
本発明は家庭等で用いられる電気掃除機に関する。
【背景技術】
【０００２】
従来、掃除機本体にハンドルが可動式に取り付けられている電気掃除機としては、特許文献１に掲載された電気掃除機が知られている。特許文献１に掲げる電気掃除機の場合、掃除機本体の筐体上部にハンドルが回動可能に設けられ、ハンドルの外周側縁部に凹部が複数個形成されるとともに、筐体本体側にハンドルの外周側縁部の凹部に進入してハンドルの回動角度を固定する突起が設けられている。空気を吸込む風量を制御するためのパワーコントロールスイッチ等は、掃除機本体に接続される延長ホースの手元操作部に設けられており、掃除の開始や掃除中に吸込風量を調整できるようになっている。
【特許文献１】特開平２−３１７２４号公報
【発明の開示】
【発明が解決しようとする課題】
【０００３】
上記特許文献１の電気掃除機では、ハンドルが可動式に取り付けられているものの、吸込風量を選択するコントロールスイッチは、掃除機本体から延びるホースの先の手元操作部に通常設けられており、ハンドルの姿勢変化で吸込風量を制御するものではなかった。
【０００４】
また、掃除機本体側にパワーコントロールスイッチが設置される電気掃除機もある。この方式であると、パワーコントロールスイッチが小さく、操作し難く、表示が見難いという不具合がある。
【０００５】
本発明は、このような問題に着目してなされたものであり、電気掃除機の清掃を極力容易なものとし、コントロールスイッチの操作をし易くすることを目的とする。
【課題を解決するための手段】
【０００６】
上記課題を解決するために、本発明にかかる電気掃除機は、掃除機本体の筐体に、前記掃除機本体を把持する把手部を所定の移動量において静止可能に取り付けると共に、前記掃除機本体に、前記把手部の移動量によって前記掃除機本体の動作を決定する制御手段を設けたことを特徴とする。
【発明の効果】
【０００７】
本発明にかかる電気掃除機によれば、掃除機本体を支える把手部が、掃除機本体の筐体表面に沿って移動可能とされ、また、所定の移動量に応じて掃除機本体の動作を変更可能とするので、掃除機本体を持ち運んで移動させた後に、手を把手部から離さないまま、掃除機本体を清掃開始状態とすることができるので、素早く掃除を開始でき、持ち替え等の煩わしさを解消できる。
【発明を実施するための最良の形態】
【０００８】
以下、本発明を実施するための最良の形態にかかる電気掃除機を図面を用いて説明する。図８は実施の形態にかかる電気掃除機の斜視図を示す。図８において、符号１は電気掃除機、２は集塵袋及び集塵モーターＭを内蔵した掃除機本体、３は自在に曲がるホース、４は伸縮調整可能な延長管、５は延長管４の先端部に着脱可能な吸込口、６は掃除機本体２の両側部に設けられた車輪、７は円盤形状を有する把手部、Ｐはコンセントに接続するプラグ、Ｂは電源コードを巻き込むためのプッシュボタンである。図９に示すように、筐体２Ａの把手部７の周りには吸込風量を示すマーク（ＯＦＦ、微弱、弱、中、強、最強）が表示されている。
【０００９】
掃除機本体２の筐体２Ａの上部には、図１に示すように、把手部７を配設する底の浅い円筒形の配設凹部８が形成されている。配設凹部８の底部には把手部７の取付軸９を挿入する穴１０が形成されている。
【００１０】
把手部７は、配設凹部８の縁を覆うように円形に形成された円盤部１１と、棒状に延びる握り部分１２とを有している。握り部分１２と円盤部１１の間には掃除機本体２を持ち運ぶときに指を挿入するために、円盤部１１との間に指の挿入部が形成されている。把手部７の円盤部１１には下方に延びる取付軸９が突出している（図１０参照）。取付軸９は配設凹部８の穴１０に回転可能に挿入されている。取付軸９の上端部には鍔部９Ａが形成されており、鍔部９Ａは把手部７の円盤部１１内において空回りしないように固定されている。
【００１１】
取付軸９には、ワッシャ１３、ナット１４、端子板１５、ナット１６が取り付けられている。ワッシャ１３は配設凹部８の底部８Ａに摺接回転自在に接している。取付軸９の下部にはネジ山が形成されており、ワッシャ１３の下にはナット１４が螺着されている。ナット１４は底部８Ａの間のワッシャ１３を挟み込んでいる。ナット１４とその下のナット１６との間に端子板１５が挟まれて配設され、ナット１６が端子板１５を空回りしないように固定している。取付軸９の外周面軸方向に細い溝を形成し、端子板１５に前記細い溝に挿入される突起を形成して、取付軸９と端子板１５に回り止め機構を設けても良い。
【００１２】
端子板１５の突出部１５Ａの下面には、金属板からなる接触子１７がネジ１７Ｃ或いは噛みつぶしによって取り付けられており、接触子１７は可動接点１７Ａ、１７Ｂを備えている。可動接点１７Ａ、１７Ｂは後述する固定接点１９Ａ〜１９Ｆ或いは共通接点２０と接触して導通可能とされている。
【００１３】
また、図３の矢印Ａに示すように、端子板１５の接触子１７は配設凹部８の下方に形成されたスイッチ配設板部１８の上を円形軌道に沿って往復方向にスライド可能とされている。スイッチ配設板部１８は筐体２Ａの下面に突設されるリブ２Ｂの下端部に取り付けられている。スイッチ配設板部１８の上面には、金属板からなる固定接点１９Ａ〜１９Ｆ及び共通接点２０が取り付けられている。共通接点２０には可動接点１７Ａが接触し、固定接点１９Ａ〜１９Ｆには可動接点１７Ｂが接触できるようになっている。
【００１４】
可動接点１９Ａ〜１９Ｆ及び共通接点２０は、把手部７の操作によって集塵モーターＭの回転数を決めるためのスイッチを構成し、制御回路２５に接続されている。制御回路２５は、商用電源及び集塵モーターＭと接続されており、接触子１７が固定接点１９Ａ〜１９Ｆの何れか及び共通接点２０に接触すると、それに応じて商用電源から集塵モーターＭへの供給電力を変える。
【００１５】
制御回路２５は、一例としてマイクロコンピュータと複数個のリレー及び抵抗器を備える。固定接点１９Ａ〜１９Ｆと共通接点２０を流れる信号電流はマイクロコンピュータの入出力端子から入力され、マイクロコンピュータはこの入力端子から入った信号電流に応じて所定のリレーをオンさせる。リレーは吸込風量の段階数に応じて複数個設けられており、商用電源と集塵モーターＭとを断続する。各リレーと集塵モーターＭとの間の回路にはそれぞれ抵抗器が設けられており、固定接点１９Ａ〜１９Ｆの供給する吸込風量に応じて抵抗値が設定されている。
【００１６】
なお、固定接点１９Ａと共通接点２０が導通しているときは、把手部７からの集塵モーターＭの制御を停止するように構成されている。
【００１７】
また、固定接点１９Ｂは集塵モーターＭへの電力供給を最小のものとし、例えばカーテンや布地等に付着した埃を吸い込むために吸込風量を微弱なものとする。固定接点１９Ｃは集塵モーターＭへの電力供給を小レベルのものとし、例えば取れやすい埃を軽く吸い込むために吸込風量を弱とする。固定接点１９Ｄは集塵モーターＭへの電力供給を中レベルとし、例えば音を小さくして清掃を行う場合などのように、埃を吸い込むために吸込風量を中レベルとする。固定接点１９Ｅは集塵モーターＭへの電力供給を大レベルとし、例えば取れ難い埃を吸い込むために吸込風量を大とする。固定接点１９Ｆは集塵モーターＭへの電力供給を最大レベルとし、例えば取れ難い埃を急速に吸い込むために吸込風量を最大とする。ＳＬ１〜ＳＬ６は信号線である。
【００１８】
なお、端子板１５の上面側に接触子１７を設け、スイッチ配設板部１８を配設凹部８の底部８Ａ側に設けて、固定接点１９Ａ〜１９Ｆを端子板１５に臨ませて設置しても良い。
【００１９】
図５は配設凹部８の形状を示す。配設凹部８の円筒型の内周壁面には、把手部７のＯＦＦ位置からの角度を維持するための位置決め穴２０Ａ乃至位置決め穴２０Ｆが形成されている。また、図２は把手部７の外周部断面構成を示す。図２に示すように、把手部７の円盤部１１の側面部には、把手部７のＯＦＦ位置からの角度を維持するための位置決め突起２１が設けられている。把手部７の円盤部１１の側面部には、位置決め突起２１の配設穴２２が形成されており、配設穴２２内部にコイルスプリング２３が配設され、コイルスプリング２３の先端部に位置決め突起２１が接触している。位置決め突起２１の周囲にはストッパー２４が形成され、ストッパー２４が配設穴２２の開口縁部の掛止突起２２Ａに接触する。これによって、把手部７が回転し、位置決め突起２１が配設凹部８の位置決め穴２０Ａ〜２０Ｆの何れかに入り込むと、把手部７のＯＦＦ位置に対する角度が固定される。
【００２０】
集塵モーターＭの吸込風量を変えるときに、把手部７を捻ると、位置決め突起２１が入り込んでいた位置決め穴２０Ａ〜２０Ｆから外れて他の位置決め穴２０Ａ〜２０Ｆに入り込む。位置決め穴２０Ａ〜２０Ｆは固定接点１９Ａ〜１９Ｆの位置に対応して設けられており、位置決め突起２１が何れかの位置決め穴２０Ａ〜２０Ｆに入り込むと、入り込んだ位置決め穴に対応する固定接点１９Ａ〜１９Ｆに、可動接点１７Ａが接触する。
【００２１】
図６、図７は配設凹部８の他の例を示す。図６、図７に示す例では、把手部７が挿入される配設凹部８の内周壁面には、マイクロスイッチＳｗ１〜Ｓｗ６が複数個設けられている。把手部７の円盤部１１の外周部には、マイクロスイッチＳｗ１〜Ｓｗ６を押圧してオンさせるための突起４０と、円盤部１１のスイッチＳｗ１に対する回動角度を維持するための位置決め穴４１Ａ〜４１Ｆとが設けられている。また、配設凹部８には位置決め穴４１Ａ〜４１Ｆに挿入可能な突起部４２が設けられている。突起部４２は、前述の位置決め突起２１と同様に、配設穴に対応する筒とコイルスプリングと位置決め突起とストッパーからなり、把手部７を回転させると、突起部４２が位置決め穴４１Ａ〜４１Ｆの何れかに挿入され、対応するマイクロスイッチＳｗ１〜Ｓｗ６が導通する。各マイクロスイッチＳｗ１〜Ｓｗ６は、前述の制御回路２５と接続されている。その接続の仕方は、前述の制御回路２５と同様である。
【００２２】
即ち、制御回路２５は、商用電源４３及び集塵モーターＭと接続されており、マイクロスイッチＳｗ２〜Ｓｗ６の何れかがＯＮになると、それに応じて商用電源から集塵モーターＭに供給される電力を変える。制御回路２５は一例としてマイクロコンピュータと複数個のリレー及び抵抗器を備える。マイクロスイッチＳｗ２〜Ｓｗ６の何れかがＯＮになると、その信号電流はマイクロコンピュータの入出力端子に入力され、マイクロコンピュータはこの入力端子から入った信号電流に応じて所定のリレーをオンさせる。リレーは吸込風量の段階数（マイクロスイッチＳｗ２〜Ｓｗ６）に応じて設けられており、商用電源と集塵モーターＭとを断続する。各リレーと集塵モーターＭとの間の回路にはそれぞれ抵抗が設けられており、マイクロスイッチＳｗ２〜Ｓｗ６の供給する吸込風量に応じて抵抗値が設定されている。マイクロスイッチＳｗ１が導通しているときは、把手部７からの集塵モーターＭの制御を停止するように構成されている。
【００２３】
なお、上記の実施の形態では、把手部７の回動領域に集塵モーターＭを停止させるＯＦＦスイッチが設けられているが、集塵モーターＭのＯＮ・ＯＦＦスイッチは掃除機本体２の何れかの位置に設けられていても良い。
【００２４】
以上説明したように、上述の電気掃除機によれば、把手部７が掃除機本体２の筐体２Ａに対して筐体２Ａ表面から直角に延びる取付軸９を中心に回動可能とされ、取付軸９が予め定めた所定の角度で停止して集塵モーターＭの吸込風量を調節できる。このため、把手部７を握って掃除機本体２を移動させた後に、手元操作部３０を握り変えないまま掃除機本体２の集塵を行うことができ、素早く掃除を開始できる。
【００２５】
なお、上述の実施の形態では、把手部７の動きを取付軸９を中心に回動させているが、把手部７の移動は、回動する動作や直線や曲線に沿って移動する動作でも良い。また、把手部７は、移動領域において段階的に停止して動作を変えることが望ましいが、摺動抵抗のように無段階にも動作が変化するものでも良い。
【００２６】
また、上記の実施の形態では、把手部７が、掃除機本体２の集塵モーターＭ、図示省略の集塵袋、ホース接続口の中心を結ぶ前後中心線ＣＬ（図３、図５、図６参照）上に設けられた取付軸９を中心に回動するが、把手部７は、掃除機本体２の前後中心線ＣＬに沿って前後方向にスライドしても良いし、前後中心線ＣＬに対して直角方向に移動しても良い。
【００２７】
また、把手部７が、握るための握り部分１２を有するが、この握り部分１２は前述の前後中心線ＣＬの上にあって前後中心線ＣＬ方向に沿って延びていると、掃除機本体２の重心の上に把手部７の握り部分１２があるので、持ち易くなる。握り部分１２は前後中心線ＣＬに対して直角に向くように延びていても良い。
【００２８】
なお、把手部７は、人差し指、中指、薬指、小指等を挿入して複数の指で引っ掛けて持ち上げ可能な把手用凹部（図示せず）を有するタイプでも良く、この場合、把手部７の把手用凹部は、挿入される複数の指が前後中心線ＣＬに沿って並ぶように、形成されても良いし、前後中心線ＣＬに対して直角に並ぶように形成されていても良い。
【００２９】
また、把手部７は集塵モーターＭの制御のために静止する位置は、段階的に複数箇所静止するものを掲げたが、無段階的に変化するものであっても良い。制御される動作はスイッチオン、吸込風量の強弱等の動作の他に、ブラシの回転及び停止その他の制御も考えられる。
【図面の簡単な説明】
【００３０】
【図１】本発明の実施の形態にかかる電気掃除機のハンドル取付部分の断面図。
【図２】ハンドルの回動位置を決める突起部及び位置決め穴の断面図。
【図３】筐体の配設凹部に設けられる接点の配設例及び制御回路との接続を示すブロック回路図。
【図４】ハンドル側の端子板における接触子の取付を示す図。
【図５】配設凹部の位置決め穴の配置状態を示す図。
【図６】配設凹部のない周壁にマイクロスイッチを設け、ハンドル外周面に導通用の突起を設けた例を示す図。
【図７】図６のブロック回路図。
【図８】本発明の実施の形態にかかる電気掃除機の斜視図。
【図９】図８のハンドル近傍の外表面を示す図。
【図１０】図８のハンドルの握り部分の開口部を示す図。
【符号の説明】
【００３１】
１  電気掃除機
２  掃除機本体
３  集塵ホース
４  延長管
５  吸込口
７  把手部
８  配設凹部
９  取付軸
１０  取付軸の挿入穴
１１  円盤部
１２  握り部分
１７  接触子
１７Ａ  可動接点
１７Ｂ  可動接点
１９Ａ〜１９Ｆ  固定接点
２０  共通接点
２５  制御回路
【図１】
2007105087.tif 000003
【図２】
2007105087.tif 000004
【図３】
2007105087.tif 000005
【図４】
2007105087.tif 000006
【図５】
2007105087.tif 000007
【図６】
2007105087.tif 000008
【図７】
2007105087.tif 000009
【図８】
2007105087.tif 000010
【図９】
2007105087.tif 000011
【図１０】
2007105087.tif 000012